(57)【要約】【課題】遊技盤の位置決めおよび支持固定を容易にする。【解決手段】パチンコ遊技機における遊技盤Ｄは、その一端部側を保持具７０で保持すると共に、他端部側を固定装置Ｈで固定支持することで、セット保持枠１２に着脱自在にセット可能になっている。保持具７０は、側壁面１２ｂに取付けられる枢支部材７４と、この枢支部材７４に回動自在にヒンジ接続され、Ｌ字状に交差する第１規制面７６および第２規制面７８を備える規制部材７２とから構成される。フランジ面１２ａに突部１２ｃを突設し、遊技盤Ｄの背面に陥凹部Ｄ１を凹設して、陥凹部Ｄ１における遊技盤Ｄの厚み寸法が、突部１２ｃに第２規制面７８を対向させた際になす間隔と同一寸法となるよう設定する。 遊技盤Ｄの一端面を第１規制面７６に押し当てた状態で、遊技盤Ｄをセット保持枠１２に向けて回動させることで、遊技盤Ｄの側端部を第２規制面７８と突部１２ｃとで挟持し得る。【選択図】図２
2005052499.tif 000002
【特許請求の範囲】
【請求項１】
セット保持枠に保持具および固定装置を設け、遊技盤の一端部側を該保持具で保持すると共に、他端部側を該固定装置で固定支持することで、該遊技盤をセット保持枠に着脱自在にセット可能としたパチンコ遊技機において、
前記保持具は、前記セット保持枠におけるフランジ面と交差する壁面に取付けられる枢支部材と、この枢支部材に回動自在にヒンジ接続され、Ｌ字状に交差する第１規制面および第２規制面を備える規制部材とからなり、
前記フランジ面に所要高さの突部を突設し、
前記遊技盤における前記突部と対向予定の一方の面に陥凹部を凹設して、該陥凹部における遊技盤の厚み寸法が、該突部に第２規制面を対向させた際になす間隔と同一寸法となるよう設定し、
前記遊技盤の一端面を前記規制部材の第１規制面に押し当てた状態で、該遊技盤を前記セット保持枠に向けて回動させることで、該セット保持枠の突部が遊技盤の陥凹部に当接すると共に、該遊技盤の他方の面に前記第２規制面が当接して遊技盤を挟持するよう構成した
ことを特徴とするパチンコ遊技機。
【請求項２】
前記突部は、前記セット保持枠の壁面から内方に所要間隔だけ離間した位置に突設されると共に、該突部の壁面と対向する端面は、前記フランジ面から突出端に向かうにつれて壁面から離間するよう傾斜している請求項１記載のパチンコ遊技機。
【請求項３】
前記規制部材を、常には前記第２規制面がセット保持枠のフランジ面から離間する方向に向けて付勢する付勢手段を備える請求項１または２記載のパチンコ遊技機。
【請求項４】
前記規制部材の第２規制面は、その端縁が外方に向けて折曲形成されている請求項１〜３の何れかに記載のパチンコ遊技機。
【請求項５】
前記保持具は、前記遊技盤に構成される遊技領域に干渉しない位置に設けられる請求項１〜４の何れかに記載のパチンコ遊技機。
【請求項６】
セット保持枠に保持具および固定装置を設け、遊技盤の一端部側を該保持具で保持すると共に、他端部側を該固定装置で固定支持することで、該遊技盤をセット保持枠に着脱自在にセット可能としたパチンコ遊技機において、
前記保持具は、前記セット保持枠におけるフランジ面と交差する壁面に取付けられる枢支部材と、この枢支部材に回動自在にヒンジ接続され、Ｌ字状に交差する第１規制面および第２規制面を備える規制部材とからなり、
前記フランジ面に所要高さの突部を突設し、
前記遊技盤における前記突部と対向予定の一方の面に陥凹部を凹設して、該陥凹部における遊技盤の厚み寸法が、該突部に第２規制面を対向させた際になす間隔と同一寸法となるよう設定し、
前記遊技盤の一端面を前記規制部材の第１規制面に押し当てた状態で、該遊技盤を前記セット保持枠に向けて回動させることで、該セット保持枠の突部が遊技盤の陥凹部に当接すると共に、該遊技盤の他方の面に前記第２規制面が当接して遊技盤を挟持するよう構成され、
前記固定装置は、前記セット保持枠に開設されたセット口内周に臨む保持部と、この保持部に対して着脱可能に嵌合セットされて回転可能に支持される施錠具とを備え、
前記保持部では、前記セット口内にセットされた前記遊技盤の係合受部裏側を係止し得る係着部と軸孔口部とを形成し、
前記施錠具では、前記保持部の軸孔口部に回動可能に嵌合支持される軸部の後側に、前記係着部に支持される回動支盤を一体に形成すると共に、軸部の前側に、前記保持部の前側に係止し得る係止部と、指先を掛けて回動操作をなすことが可能な操作部と、前記遊技盤の係合受部前側に弾性的に係合し得る係合部とを一体に形成した
ことを特徴とするパチンコ遊技機。
【発明の詳細な説明】
【技術分野】
【０００１】
この発明は、パチンコ遊技機に関し、更に詳細には、セット保持枠に保持具および固定装置が設けられ、遊技盤の一端部側を保持具で保持すると共に、他端部側を固定装置で固定支持することで、該遊技盤をセット保持枠に着脱自在にセット可能としたパチンコ遊技機に関するものである。
【背景技術】
【０００２】
パチンコ機に代表されるこの種の遊技機では、機体の外郭をなす外枠に対して着脱および開閉自在に組付けられる中枠に、各種の遊技機構成部材が集約的に搭載されている。例えば、遊技機構成部材の一つである遊技盤に関しては、中枠の窓口裏側に位置するセット保持枠のセット口に対し、遊技面を前側に指向させた状態でセットされる。ここで、遊技盤のセット形態をもとに遊技機を分類すると、ガラス扉が付いている前枠を開放したもとで前面側から着脱するよう構成したタイプ(遊技盤前側着脱タイプ)と、外枠から開放された中枠裏側の裏機構盤を開放または取外したもとで裏面側から着脱するよう構成したタイプ(遊技盤裏側着脱タイプ)とに大別される。
【０００３】
そして、前述した何れのタイプの遊技機にあっても、セット保持枠のセット口内の正面側にセットした遊技盤を、該セット口内でがたつきの無い状態に収容して適正に固定し得ることが何よりも肝要とされている。従って、例えば前記セット口の内周囲に固定装置(係合保持部品)を設け、セット口にセットした遊技盤に対して各固定装置を係合操作または解除操作することを前提として、遊技盤を簡単かつ楽な操作で手早く容易に着脱できることが強く要望されている。
【０００４】
これらを解決するために、セット保持枠におけるセット口の上下、左右の４個所の各隅部に遊技盤用の施錠具を設け、ガラス扉が付いている前枠を開放したもとで、中枠における枠体の窓口からセット保持枠のセット口へ遊技盤を収納セットした後、各施錠具の操作部を指先で摘み、該施錠具を所定方向へ回動操作することにより施錠位置に変位し、係合部が遊技盤に弾性的に係合して該遊技盤を弾性的に固定化保持する固定装置が提案されている(例えば、特許文献１参照)。しかし、このような遊技盤の支持固定構造によると、遊技盤の各端部とセット口を正面側から整合させた状態で取付けなければならないので煩わしいと共に、更に４個所の施錠具の施錠位置または解錠位置への回動動作は作業効率を低下させる難点がある。
【０００５】
そこで、遊技盤の交換作業を更に容易にすることを目的として、ベースにおける収容凹部の一側縁部に、遊技盤の一側縁を受け入れるために、長手方向の長さが遊技盤の縦方向の長さとほぼ等しい断面コの字状の溝形状受け口を形成した保持具を回動可能に設けると共に、収容凹部の他側縁部に遊技盤を固定するための施錠具としてストッパ部材を設けたものが提案されている(例えば、特許文献２参照)。
【特許文献１】特許第３０５１９６２号公報
【特許文献２】特開２００１−３２７７１７号公報
【発明の開示】
【発明が解決しようとする課題】
【０００６】
しかし、前述した保持具は、受け口が遊技盤の形状に合わせて上下方向に延在する断面コの字状の溝形状となっているため、該受け口と遊技盤の側縁部を整合させた状態で挿入しなければならないので煩わしい欠点がある。また、遊技盤や表示装置および制御基板の大型化に伴い遊技盤全体の重量が重くなる傾向があり、受け口に遊技盤の側縁部を挿入する作業に時間がかかると作業者の負担が増える難点も指摘される。特に遊技店での機種変更時における遊技盤の交換作業では、多数の遊技盤を交換しなければならないため、その簡素化が望まれている。しかも、遊技盤を前記受け口に挿入したり抜き取る交換作業の際に、該受け口と遊技盤の側縁部とが擦れて、遊技盤に傷を生じてしまう虞れがある。
【０００７】
また、前記遊技盤は、薄板を幾重にも重ね合わせた合板で形成されるため、厚み方向に多少の寸法誤差が生じてしまう。すなわち、前記受け口の幅より遊技盤の厚さが大きい場合は、取付けに際して、該遊技盤の側縁部と受け口とが擦れて傷付いてしまう虞れがあり、また受け口に対する遊技盤の挿脱作業が困難になってしまう。これに対し、前記受け口の幅より遊技盤の厚さが小さい場合は、該遊技盤をセット口に対してセットした際に、前後方向にがたつきが生じてしまい、遊技球の動きに影響を与えてしまう問題が指摘される。
【０００８】
すなわちこの発明は、従来の技術に係るパチンコ遊技機に内在する前記問題に鑑み、これらを好適に解決するべく提案されたものであって、セット保持枠に対して遊技盤を傷付けることなく、簡単かつ確実に保持し得るパチンコ遊技機を提供することを目的とする。
【課題を解決するための手段】
【０００９】
前記課題を克服し、所期の目的を達成するため、本発明に係るパチンコ遊技機は、
セット保持枠(12)に保持具(70)および固定装置(H)を設け、遊技盤(D)の一端部側を該保持具(70)で保持すると共に、他端部側を該固定装置(H)で固定支持することで、該遊技盤(D)をセット保持枠(12)に着脱自在にセット可能としたパチンコ遊技機において、
前記保持具(70)は、前記セット保持枠(12)におけるフランジ面(12a)と交差する壁面(12b)に取付けられる枢支部材(74)と、この枢支部材(74)に回動自在にヒンジ接続され、Ｌ字状に交差する第１規制面(76)および第２規制面(78)を備える規制部材(72)とからなり、
前記フランジ面(12a)に所要高さの突部(12c)を突設し、
前記遊技盤(D)における前記突部(12c)と対向予定の一方の面に陥凹部(D1)を凹設して、該陥凹部(D1)における遊技盤(D)の厚み寸法が、該突部(12c)に第２規制面(78)を対向させた際になす間隔と同一寸法となるよう設定し、
前記遊技盤(D)の一端面を前記規制部材(72)の第１規制面(76)に押し当てた状態で、該遊技盤(D)を前記セット保持枠(12)に向けて回動させることで、該セット保持枠(12)の突部(12c)が遊技盤(D)の陥凹部(D1)に当接すると共に、該遊技盤(D)の他方の面に前記第２規制面(78)が当接して遊技盤(D)を挟持するよう構成したことを特徴とする。
【００１０】
前記突部(12c)は、前記セット保持枠(12)の壁面(12b)から内方に所要間隔だけ離間した位置に突設されると共に、該突部(12c)の壁面(12b)と対向する端面は、前記フランジ面(12a)から突出端に向かうにつれて壁面(12b)から離間するよう傾斜している。
【００１１】
また、前記規制部材(72)を、常には前記第２規制面(78)がセット保持枠(12)のフランジ面(12a)から離間する方向に向けて付勢する付勢手段(80)を備える構成でもよい。
【００１２】
更に、前記規制部材(72)の第２規制面(78)は、その端縁(78a)が外方に向けて折曲形成するようにしてもよい。  
【００１３】
更にまた、前記保持具(70)は、前記遊技盤(D)に構成される遊技領域(31)に干渉しない位置に設ける構成も採用可能である。
【００１４】
前記課題を克服し、所期の目的を達成するため、本願の別の発明に係るパチンコ遊技機は、
セット保持枠(12)に保持具(70)および固定装置(H)を設け、遊技盤(D)の一端部側を該保持具(70)で保持すると共に、他端部側を該固定装置(H)で固定支持することで、該遊技盤(D)をセット保持枠(12)に着脱自在にセット可能としたパチンコ遊技機において、
前記保持具(70)は、前記セット保持枠(12)におけるフランジ面(12a)と交差する壁面(12b)に取付けられる枢支部材(74)と、この枢支部材(74)に回動自在にヒンジ接続され、Ｌ字状に交差する第１規制面(76)および第２規制面(78)を備える規制部材(72)とからなり、
前記フランジ面(12a)に所要高さの突部(12c)を突設し、
前記遊技盤(D)における前記突部(12c)と対向予定の一方の面に陥凹部(D1)を凹設して、該陥凹部(D1)における遊技盤(D)の厚み寸法が、該突部(12c)に第２規制面(78)を対向させた際になす間隔と同一寸法となるよう設定し、
前記遊技盤(D)の一端面を前記規制部材(72)の第１規制面(76)に押し当てた状態で、該遊技盤(D)を前記セット保持枠(12)に向けて回動させることで、該セット保持枠(12)の突部(12c)が遊技盤(D)の陥凹部(D1)に当接すると共に、該遊技盤(D)の他方の面に前記第２規制面(78)が当接して遊技盤(D)を挟持するよう構成され、
前記固定装置(H)は、前記セット保持枠(12)に開設されたセット口(13)内周に臨む保持部(40)と、この保持部(40)に対して着脱可能に嵌合セットされて回転可能に支持される施錠具(55)とを備え、
前記保持部(40)では、前記セット口(13)内にセットされた前記遊技盤(D)の係合受部(32)裏側を係止し得る係着部(41)と軸孔口部(42)とを形成し、
前記施錠具(55)では、前記保持部(40)の軸孔口部(42)に回動可能に嵌合支持される軸部(56)の後側に、前記係着部(41)に支持される回動支盤(57)を一体に形成すると共に、軸部(56)の前側に、前記保持部(40)の前側に係止し得る係止部(58)と、指先を掛けて回動操作をなすことが可能な操作部(59)と、前記遊技盤(D)の係合受部(32)前側に弾性的に係合し得る係合部(60)とを一体に形成したことを特徴とする。
【発明の効果】
【００１５】
本発明に係るパチンコ遊技機によれば、保持具の規制部材は、セット保持枠に対して回動自在に取付けられているため、該規制部材のＬ字状に交差する第１規制面および第２規制面が取付け側に向くように回動することで、第２規制面とセット保持枠のフランジ面との間に広い挿入スペースを画成することができる。すなわち、前記遊技盤の挿入スペースが広くなることで、保持具に対する遊技盤の位置決めが容易になると共に、遊技盤が保持具と摺擦することによる傷付きの可能性が低減される。また、前記遊技盤に、セット保持枠の突部に当接する一方の面から所要深さで陥凹部を凹設して、該陥凹部における遊技盤の厚み寸法が、該突部に第２規制面を対向させた際になす間隔と同一寸法となるよう設定しているので、他方の面から陥凹部の底面までの該遊技盤の厚さ寸法を常に均一にすることができる。従って、遊技盤の厚さに多少の誤差がある場合であっても、第２規制面と突部との挟持部分の厚さは一定であるため、好適に固定支持し得ると共に、該突部と陥凹部とが係合するので、正確に位置決めすることが可能である。更に、前記規制部材の第２規制面とセット保持枠の突部とで遊技盤の端部を挟持する構成であるので、第２規制面を遊技盤の端部の全面に亘って当接する寸法とする必要は無く、保持具を小型化することができる。
【００１６】
また、突部をセット保持枠の壁面から内方に所要間隔だけ離間した位置に突設することで、該陥凹部と壁面との間に比較的広い空間が確保されるため、保持具の第１規制面に遊技盤の端面を当接させたもとで、該遊技盤を回動した際に突部と干渉することがなく、容易に遊技盤の取付け作業を行なうことができる。更に、前記壁面と対向する突部の端面を傾斜させることで、遊技盤の保持具への挿入に際して、突部と遊技盤とが干渉せず、遊技盤が摺擦することによる傷付きの可能性が低減される。
【００１７】
遊技盤の取付けに際し、規制部材は、付勢手段により第２規制面がセット保持枠におけるフランジ面から離間する状態になるから、前記保持具に対して、前記遊技盤の挿入および位置決めを容易に行なうことができる。規制部材における第２規制面の端縁が、外方、すなわちセット保持枠のフランジ面から離間する側に折曲形成されているため、挿入スペースが、更に拡大して取付け作業を容易に行ない得る利点がある。また、遊技盤を挿入スペースに挿入するに際し、第２規制面の端縁が遊技盤の端面に当たって傷付くのは抑制される。更に、前記保持具を遊技領域に干渉しない位置に設置することで、遊技領域を広くすることが可能である。
【００１８】
本願の別の発明に係るパチンコ遊技機によれば、遊技盤の着脱にあたり、各固定装置における施錠具では、操作部に対して指先を掛けて回動操作をなすことが可能であり、特別な回動操作器具(工具)を一切使用せずに遊技盤の施錠および解錠を行なうことができるから、前述した保持具を用いた効果に加えて、セット保持枠の前面側における簡単な手順操作により、遊技盤の着脱作業が極めて簡単で迅速になし得る有益な効果を奏する。
【発明を実施するための最良の形態】
【００１９】
パチンコ遊技機における遊技盤は、その一端部側を保持具で保持すると共に、他端部側を固定装置で固定支持することで、セット保持枠に着脱自在にセット可能に構成される。前記保持具を、セット保持枠におけるフランジ面と交差する壁面に取付けられる枢支部材と、この枢支部材に回動自在にヒンジ接続され、Ｌ字状に交差する第１規制面および第２規制面を備える規制部材とから構成する。また、前記フランジ面に所要高さの突部を突設し、前記遊技盤における前記突部と対向予定の一方の面に陥凹部を凹設して、該陥凹部における遊技盤の厚み寸法が、該突部に第２規制面を対向させた際になす間隔と同一寸法となるよう設定する。 そして、前記遊技盤の一端面を前記規制部材の第１規制面に押し当てた状態で、該遊技盤を前記セット保持枠に向けて回動させることで、該セット保持枠の突部が遊技盤の陥凹部に当接すると共に、該遊技盤の他方の面に前記第２規制面が当接して遊技盤を挟持するよう構成する。
【実施例１】
【００２０】
次に、本発明に係るパチンコ遊技機につき、好適な実施例を挙げて、添付図面を参照して以下に説明する。なお、実施例１または実施例２では、遊技機として、中枠の窓枠口内部にパチンコ球用の遊技盤がセットされた一般的なパチンコ機の場合について説明する。
【００２１】
(パチンコ機の概略説明)
実施例１のパチンコ機Ｐは、その基本的構成の概要として図１に略示するように、縦長方形の外枠Ａの開口前面側に、各種の遊技盤用構成部材をセットする縦長方形の中枠Ｂが連結支持手段および施錠手段を利用して開閉および着脱が可能に組付けられている。そしてこの中枠Ｂの前面側に、遊技盤Ｄの透視保護窓である図示しないガラス扉を備えた前枠と、上の球受け皿Ｅとが個々の連結支持手段等を利用して共に横開き形態で開閉可能に組付け整合される一方、中枠Ｂの下部に下の球受け皿Ｆおよび打球発射装置Ｇにおける打球操作部Ｇ1等が装着セットされ、また中枠Ｂの裏側に各種の球経路および球処理・払出部等を備えた機構セット盤(図示せず)がセットされている。
【００２２】
(中枠)
前記中枠Ｂは、例えば全体が合成樹脂成形されたものが採用され、前記外枠Ａの開口前面域に整合する外形サイズに成形されて内側に正面縦長方形の窓枠口(窓口)１１を開口した枠体１０と、この枠体１０の裏側に一体成形されて前記窓枠口１１の正面内部に臨む遊技盤用のセット口１３を開口したセット保持枠１２とが、前後に連設された内外二重枠形態とされている。また前記窓枠口１１は、前面側から出入れ(着脱)される遊技盤Ｄのセット面域および出入れ口ともされ、その下部開口面域内に上の球受け皿Ｅを開閉可能に組付けセットし得るようになっている。そして、窓枠口１１の開口前面の３周縁(上縁および左右の側縁)を凹設して、前枠を整合収容し得るセット面域１８が画成されている。
【００２３】
(セット保持枠)
一方、前記窓枠口１１の下部内側において前記上の球受け皿Ｅに整合する位置に図示しない遊技補助盤が一体成形されており、この遊技補助盤の上端縁を基準にして前記セット口１３が前記セット保持枠１２に開口されている。前記セット保持枠１２において、前記セット口１３の開口縁をなす前面側に臨む面であるフランジ面１２ａには、所要高さに設定された複数の突部１２ｃが一体的に突設されている。本実施例において前記突部１２ｃは、前記セット口１３における一方の側端縁をなすフランジ面１２ａに２箇所設けられ、夫々が窓枠口１１の上部または下部に近接する部位に位置している。なお、前記突部１２ｃは、実施例では２箇所に突設されているが、１箇所あるいは３箇所以上であってもよい
【００２４】
また、前記突部１２ｃは、前記セット保持枠１２の側壁面(壁面)１２ｂから内方に所要間隔だけ離間した位置に突設されると共に、該突部１２ｃの側壁面１２ｂと対向する端面は、前記フランジ面１２ａから突出端に向かうにつれて側壁面１２ｂから離間するよう傾斜している。
【００２５】
そして、前記セット保持枠１２に保持具７０および固定装置Ｈが設けられ、前記遊技盤Ｄの一方の側端部を保持具７０で保持すると共に、他方の側端部を固定装置Ｈで固定支持することで、該遊技盤Ｄが前記セット面域１８に整合して、前記セット口１３内に着脱自在にセットされる。すなわち、前記遊技盤Ｄは、その背面に凹設される後述する陥凹部Ｄ１が前記セット保持枠１２のフランジ面１２ａに形成された突部１２ｃに当接すると共に、側面を該フランジ面１２ａと交差する側壁面１２ｂに整合した状態になっている。ここで、前記フランジ面１２ａと交差する側壁面１２ｂは、中枠Ｂにおいて前後に連設された枠体１０とセット保持枠１２とから内外二重枠形態となっている両枠１０,１２を一体的に連結する前後方向に延在する壁面であって、前記窓枠口１１を画成している壁面である。前記セット保持枠１２における一方の側壁面１２ｂには、前記遊技盤Ｄの一側縁部を保持する複数(実施例では２個であるが、１個あるいは３個以上であってもよい)の保持具７０が、前記突部１２ｃに近接して配設され、対向する他方の側壁面１２ｂ側のフランジ面１２ａには、該遊技盤Ｄの他側縁部を固定支持する複数(２個)の固定装置Ｈが設けられている。なお、実施例１では、前記保持具７０と固定装置Ｈとが左右の関係で対向するように配設されるが、上下の関係で対向配置させる構成も採用し得る。
【００２６】
(遊技盤)
前記遊技盤Ｄは、図１に２点鎖線で示すように、前記セット保持枠１２における前記セット口１３内に適合する略正方形に成形されており、その前面に取付けられた略円形状の案内レール３０内に各種の図柄表示装置等の遊技部品や入賞装置等を配置して所要のゲームを展開し得る遊技領域３１が構成されている。図２に示すように、前記遊技盤Ｄにおける前記突部１２ｃと対向予定の背面(一方の面)には、該突部１２ｃの挿入を許容し得る開口寸法で陥凹部Ｄ１が凹設されている。前記陥凹部Ｄ１における遊技盤Ｄの厚み寸法が、前記突部１２ｃに前記保持具７０の後述する第２規制面７８を対向させた際になす間隔と同一寸法となるように凹設深さは設定される。すなわち、前記突部１２ｃは、対向する保持具７０の第２規制面７８との間が離間するよう高さ設定されると共に、前記陥凹部Ｄ１は前記遊技盤Ｄを貫通しない深さになっている。
【００２７】
(保持具)
次に、前記パチンコ機Ｐにおいて、前記中枠Ｂにおける窓枠口１１の裏側に位置するセット保持枠１２のセット口１３に対してセットした遊技盤Ｄの一方の側端部を保持するための保持具７０につき説明する。図２または図４に示すように、前記保持具７０は、例えば金属製の部材であって、前記セット保持枠１２の側壁面１２ｂに取付けられる枢支部材７４と、この枢支部材７４に回動自在にヒンジ接続した規制部材７２とから構成されている。前記保持具７０は、前記セット保持枠１２の一方の側壁面１２ｂに、上下方向に所要間隔離間されて２箇所に設けられると共に、夫々が窓枠口１１の上部または下部に近接する部位に配設されている。すなわち、前記保持具７０は、前記フランジ面１２ａに突設された突部１２ｃに近接する側壁面１２ｂに配設されると共に、前記遊技盤Ｄを取付けた際に、該遊技盤Ｄの遊技領域３１に干渉しない部位に設けられている。
【００２８】
(枢支部材)
前記枢支部材７４は、図３に示すように、矩形状の板状体における両端縁を同一方向に折曲したコの字状に形成され、対向する両端縁の折曲部７４ａ,７４ａには、規制部材７２を枢支する後述する支軸７３の挿通を許容する軸孔７４ｂ,７４ｂが同一軸線上に夫々開設されている。前記枢支部材７４において、前記対向する折曲部７４ａ,７４ａに挟まれた中間部位には、前記セット保持枠１２の側壁面１２ｂに固定するためビス等の固定手段が挿入される所要数(実施例１では２箇所)の固定孔部７４ｃが開設されている。そして、前記枢支部材７４は、前記セット保持枠１２の側壁面１２ｂに、中間部位を当接させて折曲部７４ａ,７４ａを前記セット口１３の内方に向けて延在させると共に、該折曲部７４ａ,７４ａが上下の関係で位置するよう配設される。
【００２９】
(規制部材) 
前記規制部材７２は、矩形状の板状体における略中間部位を略９０度で折曲してＬ字状に形成し、その内方に臨む面がＬ字状に交差する第１規制面７６と第２規制面７８とになっている。前記第１規制面７６と第２規制面７８とが交差する線と直交する両端縁には、外方に延出した一対のヒンジ片７２ａ,７２ａが一体的に折曲形成され、該ヒンジ片７２ａ,７２ａに支軸７３の挿通を許容する通孔７２ｂ,７２ｂが同一軸線上に開設してある。また、前記第１規制面７６の延出寸法は、前記遊技盤Ｄの厚さより短尺になるよう設定されている。これに対し、第２規制面７８の延出寸法および前記規制部材７２の幅寸法(前記第１規制面７６と第２規制面７８とが交差する線と直交する線の延在方向)は、前記遊技盤Ｄの遊技領域３１に干渉せず、かつ該遊技盤Ｄの側端部を有効に挟持し得る所要の寸法に設定される。更に、前記規制部材７２の第２規制面７８における前記セット口１３の内方に臨む端縁７８ａが、外方(前面側)に向けて折曲形成されている。
【００３０】
(支軸)
前記枢支部材７４における折曲部７４ａ,７４ａを挟持するように位置決めした前記ヒンジ片７２ａ,７２ａの通孔７２ｂ,７２ｂと、該折曲部７４ａ,７４ａの軸孔７４ｂ,７４ｂを整合させた状態で支軸７３が挿通され、該枢支部材７４に対して規制部材７２が回動可能になっている。前記支軸７３は、前記通孔７２ｂおよび軸孔７４ｂと略同一寸法に設定された円柱状の部材であって、一端に前記通孔７２ｂおよび軸孔７４ｂより大径に設定された掛止部７３ａが形成される。そして、前記両孔７２ｂ,７４ｂに挿通された支軸７３は、掛止部７３ａが一方のヒンジ片７２ａに掛止されると共に、他方のヒンジ片７２ａから突き出た他端に係止片７５を嵌合することで軸方向の移動が規制されている。
【００３１】
(付勢手段)
前記規制部材７２は、付勢手段８０により、常には前記第２規制面７８が前記セット保持枠１２のフランジ面１２ａから離間する方向に向けて付勢されると共に、第１規制面７６も側壁面１２ｂから離間するよう構成されている。前記付勢手段８０は、前記枢支部材７４と規制部材７２との間に介挿された所要の弾力性を有する弾性部材であって、実施例１では前記支軸７３に外挿されたコイルバネが採用されている。なお、前記付勢手段８０としては、コイルバネに限らず、所要の弾力性を有するものであれば、例えば板バネ等の他の弾性部材を採用し得る。
【００３２】
(保持具の取付け)    
図１または図２に示すように、前記保持具７０は、前記支軸７３が上下方向に延在するように配設され、前記規制部材７２が前記付勢手段８０により、常には前記第２規制面７８がセット保持枠１２のフランジ面１２ａから離間する方向に向けて付勢され、該規制部材７２を後方(セット保持枠１２のフランジ面１２ａ側)に向けて回動するに伴い、該第２規制面７８がフランジ面１２ａに対向する位置に変移するようになっている。これに対し、前記付勢手段８０により前面側(遊技盤Ｄの挿入方向)に前記第１規制面７６が常には臨み、前記規制部材７２を後方に回動するのに伴い、該第１規制面７６がセット口１３の内方に臨む位置(側壁面１２ｂに対向する位置)に変移するようになっている。そして、前記規制部材７２は、通常使用状態(セット保持枠１２に遊技盤Ｄをセットした状態)では、前記第１規制面７６は、遊技盤Ｄの側端面に当接して前記セット保持枠１２の側壁面１２ｂと対向して延在すると共に、第２規制面７８は遊技盤Ｄの陥凹部Ｄ１における盤面側を保持しつつ突部１２ｃと対向している。なお、対向した前記第２規制面７８と突部１２ｃとの間隔は、前記遊技盤Ｄにおける陥凹部Ｄ１の底部から盤面までの厚さと略同一寸法か、僅かに短くなるよう設定され、両者７８,１２ｃとの間で遊技盤Ｄを確実に挟持し得るようにしてある。
【００３３】
次に、実施例１に係るパチンコ遊技機の作用について説明する。前述の如く構成された実施例１のパチンコ機Ｐでは、中枠Ｂに対する遊技盤Ｄの着脱について、ガラス扉を備えた前枠を開放した中枠Ｂの前面側において、必要な操作を行なうことにより容易になし得るものである。そこで、セット口１３に対する遊技盤Ｄの着脱態様と、着脱における操作手順につき説明する。
【００３４】
(保持具のセット)
実施例１のパチンコ機Ｐでは、前記セット口１３における一方の側端縁をなすフランジ面１２ａに上下方向に所要間隔離間して、上方または下方に夫々偏倚した位置に突部１２ｃ,１２ｃが突設されている。また、前記セット保持枠１２における一方の側壁面１２ｂに上下方向に所要間隔離間して、上方または下方に夫々偏倚した位置に保持具７０,７０が配設されている。すなわち、前記突部１２ｃと前記保持具７０とは、同一の側方に設けられ、近接して配置してある。
【００３５】
前記側壁面１２ｂに固定された枢支部材７４に対して回動自在に軸支された規制部材７２は、遊技盤Ｄの挿入方向である前面側に向けて前記付勢手段８０により付勢されて、その第２規制面７８とフランジ面１２ａとの間が広く開放されると共に、第１規制面７６が前面側に臨んでいる。この状態において、先ず、前記遊技盤Ｄをセット口１３の下部に載置したもとで、前記保持具７０における規制部材７２の第２規制面７８と、前記セット保持枠１２のフランジ面１２ａとの間に開放された空間より該遊技盤Ｄの一方の側端部を挿入する。これにより、前記規制部材７２の第１規制面７６に遊技盤Ｄの側端面を当接させ、該遊技盤Ｄを後方(セット保持枠１２のフランジ面１２ａ側)に保持具７０を支点として回動させるにつれて、該規制部材７２は前記支軸７３を支点として回動する。そして、前記セット保持枠１２の突部１２ｃが前記遊技盤Ｄの背面に凹設された陥凹部Ｄ１に入って、該陥凹部Ｄ１の底面に当接することで、回動が規制されると共に、該突部１２ｃと第２規制面７８とで、該遊技盤Ｄの一方の側端部が挟持された状態で保持され、遊技盤Ｄ全体は窓枠口１１に整合される。更に、前記遊技盤Ｄの他方の側端部を、所要の固定装置Ｈで固定支持することで、該遊技盤Ｄはセット口１３に対してセットされる。
【００３６】
前記保持具７０の規制部材７２は、前記セット保持枠１２の側壁面１２ｂに固定された枢支部材７４に対して回動自在に取付けられているため、該規制部材７２のＬ字状に交差する第１規制面７６および第２規制面７８を、遊技盤Ｄの挿入側である前面側に向くように回動することで、第２規制面７８とセット保持枠１２のフランジ面１２ａとの間に広い遊技盤Ｄの挿入スペースを画成することができる。このように、前記遊技盤Ｄの挿入スペースが広くなることで、遊技盤Ｄの取付けに際し、保持具７０に対する遊技盤Ｄの位置決めが容易になると共に、遊技盤Ｄが保持具７０の規制部材７２と摺擦することによる傷付きの可能性が低減される。そして、前記挿入スペースから挿入した遊技盤Ｄの側端面を第１規制面７６に当接したもとで、該遊技盤Ｄをセット保持枠１２側に回動することで規制部材７２も一体的に回動し、該遊技盤Ｄはセット保持枠１２の突部１２ｃに当接することで回動が規制され、該突部１２ｃと第２規制面７８とで該遊技盤Ｄの側端部が挟持される。すなわち、前記遊技盤Ｄは、前記保持具７０の第１規制面７６に側端面を当接した状態で回動することで、窓枠口１１に整合するため、該遊技盤Ｄの位置決めの手間を軽減することができる。また、前記規制部材７２の第２規制面７８とセット保持枠１２の突部１２ｃとで遊技盤Ｄの側端部を挟持する構成であるので、第２規制面７８を遊技盤Ｄの側端部の全面に亘って当接する寸法とする必要は無く、保持具７０を小型化し得ると共に、軽量化を図ることができる。そして、前記保持具７０の小型化により、前記遊技領域３１を画成する前記略円形状の案内レール３０を大きくしても、該案内レール３０と干渉しない位置(上下部)に保持具７０を配設することができ、遊技領域３１を広くし得る。
【００３７】
前記遊技盤Ｄに、前記セット保持枠１２の突部１２ｃに当接する背面から所要深さで陥凹部Ｄ１を凹設して、該陥凹部Ｄ１における遊技盤Ｄの厚み寸法が、該突部１２ｃに第２規制面７８を対向させた際になす間隔と同一寸法となるよう設定しているので、該遊技盤Ｄの盤面から陥凹部Ｄ１の底面までの厚さ寸法を常に均一にすることができる。すなわち、前記突部１２ｃと対向する保持具７０の第２規制面７８との間隔に合わせて、前記遊技盤Ｄの該突部１２ｃと対向する予定の背面に切削加工を施すことで、遊技盤Ｄの盤面から陥凹部Ｄ１の底面までの厚さ寸法を常に均一になるようにしている。従って、遊技盤Ｄの厚さに多少の誤差がある場合であっても、前記突部１２ｃと第２規制面７８との挟持部分の厚さは一定であるため、好適に固定支持し得ると共に、該突部１２ｃと陥凹部Ｄ１とが当接するので、正確に位置決めすることが可能である。
【００３８】
また、前記突部１２ｃを、前記セット保持枠１２の側壁面１２ｂから内方に所要間隔だけ離間した位置に突設することで、該陥凹部Ｄ１と側壁面１２ｂとの間に比較的広い空間を確保することができる。このため、前記保持具７０の第１規制面７６に遊技盤Ｄの端面を当接させたもとで、該遊技盤Ｄを回動した際に該突部１２ｃと干渉することがなく、遊技盤Ｄの取付け作業を容易に行なうことができる。更に、前記側壁面１２ｂと対向する突部１２ｃの端面を傾斜させることで、前記遊技盤Ｄの保持具７０への挿入に際して、該突部１２ｃと遊技盤Ｄとが干渉せず、該遊技盤Ｄが摺擦することによる傷付きの可能性が低減される。
【００３９】
前記遊技盤Ｄの取付けに際し、前記規制部材７２は、前記付勢手段８０により第２規制面７８がセット保持枠１２におけるフランジ面１２ａから離間している状態になるから、第２規制面７８とセット保持枠１２のフランジ面１２ａとの間に広い遊技盤Ｄの挿入スペースを開放し得ると共に、第１規制面７６が前面に臨む状態となるので、前記保持具７０に対して、遊技盤Ｄの挿入および位置決めをより容易に行なうことができ、遊技盤Ｄの傷付きの可能性もより低減される。
【００４０】
また、前記規制部材７２における第２規制面７８の端縁７８ａが、外方、すなわちセット保持枠１２のフランジ面１２ａから離間する側に折曲形成されているため、挿入スペースが拡大して、遊技盤Ｄの取付け作業を更に容易に行ない得る利点がある。また、前記遊技盤Ｄを挿入スペースに挿入するに際し、第２規制面７８の端縁７８ａが遊技盤Ｄの端面に当たって傷付くのも抑制される。
【実施例２】
【００４１】
次に、実施例１で説明したパチンコ機Ｐにおいて、中枠Ｂにおける窓枠口１１の裏側に位置するセット保持枠１２の側壁面１２ｂに設けた一対の保持具７０で、一方の側端部を保持した遊技盤Ｄを、その他方の側端部を固定するための固定装置として、以下の構成を採用する場合ついて、実施例２として説明する。前記固定装置Ｈは、セット保持枠１２における保持具７０が配設される側壁面１２ｂと対向する各偶角部に形成した前記斜状壁部２７に夫々配設され、図５および図６に示すように、各斜状壁部２７に設けられた保持部４０と、この保持部４０に対して着脱可能に嵌合セットされ、かつ回動可能に支持される施錠具５５とを備えている。
【００４２】
(保持部)
前記保持部４０は、図５または図６に示すように、前記斜状壁部２７のセット口１３内方へ臨む４５度の傾斜端部２８に一体的に形成され、該セット口１３内に収容セットされた前記遊技盤Ｄにおける係合受部３２の裏側を係止し得る係着部４１と、前記施錠具５５を装着する軸孔口部４２とを有している。前記係着部４１は、夫々の斜状壁部２７の後端側に位置する円形の保持片４３と、傾斜端部２８上において保持片４３の前側に位置する軸支部４４とからなり、前後２段連設状態に形成されている。そして保持片４３の後側には、施錠具５５の回動支盤５７に対する有底円形状の嵌合座部４５が形成されている。一方前記軸孔口部４２は、前記保持片４３と軸支部４４間に亘りセット口１３の前後方向に延在する軸孔４６と、この軸孔４６からセット口１３の内方(傾斜端部２８に対して鉛直方向)へ開口した挿入口４７とにより正面Ｕ形に形成され、この挿入口４７を介して前記施錠具５５が係着部４１へ装着セットされる。
【００４３】
また斜状壁部２７の前面には、施錠具５５の解錠端位置を規制するための規制部４８が、該壁部２７に一体成形されている。この規制部４８は、前記軸孔口部４２の中心を基準にして円弧状に突出しており、施錠具５５における係合部６０に形成した係合突起６２に対する案内壁部４９と案内斜面５０および位置決め用の係合凹部５１が形成されている。
【００４４】
(施錠具)
前記施錠具５５は、実施に供される２個の全てが合成樹脂成形製であり、図５,図６および図８に示すように、同一共通の形式に構成されている。すなわち各々の施錠具５５は、基本的な構成として、前記軸孔口部４２に回動可能に嵌合支持される軸部５６の後側に、前記係着部４１に支持される回動支盤５７を一体に形成すると共に、軸部５６の前側に、保持部４０の前側に係止し得る係止部５８と、指先操作可能な操作部５９と、前記遊技盤Ｄの係合受部３２前側に弾性的に係合し得る係合部６０とを一体的に形成している。
【００４５】
前記軸部５６は、セット口１３の深さおよび遊技盤Ｄの厚みと略同等の軸長に設定され、その前後中央部が適宜小径となっている。また係止部５８は、前記軸部５６よりも大径のボス状を呈しており、その先端面に六角形の操作孔６１が形成されており、図示しない六角レンチ等の回動操作器具を挿入して係合し得るようになっている。また操作部５９は、前記軸部５６の軸方向と直交方向に延在する摘み状を呈し、その長手方向の中央端面と前記係止部５８の円筒面とが連設されている。更に前記係合部６０は、前記操作部５９において、前記係止部５８に連接した端面とは反対の端面に形成され、その中央部に前記回動支盤５７側へ突出した係合突起６２を有している。
【００４６】
(遊技盤の係合部)
前記遊技盤Ｄにおける各々の係合受部３２については、図７に示すように、該遊技盤Ｄの各斜状隅部３３に凹状成形部３４が形成される一方、同成形部３４の前面に係合保持部材３７が取着されている。そして凹状成形部３４では、前記保持部４０の保持片４３に対する係止座口３５と、軸支部４４に対する逃し口３６とが形成されている。また係合保持部材３７は、例えば単体として合成樹脂成形され、逃し口３６の開口前面に位置を合わせてビス着されており、その前面には、前記施錠具５５の前記係合突起６２に対する案内斜面３８および位置決め用の係合凹部３９が形成されている。なお、係合受部３２に対して係合保持部材３７は、該保持部材３７に突設したピンを、係合受部３２に対応して穿設した孔部に嵌入することで取付けるようにしてもよい。
【００４７】
このように構成された実施例２の固定装置Ｈでは、前記施錠具５５を対応の保持部４０に予め回動可能に定置セットされるものであり、この定置セットに係る態様について、図９〜図１３を参照しながら説明する。すなわち、先ず図９に示すように、係止部５８および操作部５９を前向きにし、かつ係合部６０をセット口１３の中心部方向(軸孔口部４２から離間する側)に位置させたもとで、軸部５６を軸孔口部４２の挿入口４７から軸孔４６内に挿入して適宜押込む。これにより初期の段階では、図１０に示すように、施錠具５５全体が、保持部４０に対して若干傾いた状態に嵌合され、軸部５６が軸孔口部４２における挿入口４７および軸孔４６内に斜状に嵌挿される。
【００４８】
次いで、斜状に挿入された施錠具５５が、図１０中の矢印方向から押込まれることにより、図１１に示すように、保持部４０に本嵌めセットされる。この状態においては、前記回動支盤５７が嵌合座部４５に整合され、軸部５６が軸孔口部４２の軸孔４６に嵌挿支持される。また、操作部５９が斜状壁部２７の前面に係合位置されると共に、係合部６０がセット口１３の中央側を指向している。
【００４９】
そして、本嵌めセット完了後においては、操作部５９に指を掛けて、施錠具５５を図９における反時計方向へ回動操作する。これにより施錠具５５全体は、軸孔４６に整合した軸部５６および嵌合座部４５に整合した回動支盤５７を回動支点として、図１１に示すように反転する。これに伴い、係合部６０が斜状壁部２７の前面側に変移される過程において、係合突起６２が規制部４８の案内壁部４９および案内斜面５０に沿って移動し、係合凹部５１に突入係止する。これにより施錠具５５は、回動が制止されて解錠位置に待機した状態に定置セットされる。
【００５０】
なお各固定装置Ｈにおいては、施錠具５５の定置セットにあたり、係合部６０の係合突起６２が案内斜面５０上を移行する間、適度に弾性変形するようになっている。そして係合突起６２が、案内斜面５０との係合が解除されて係合凹部５１に突入した時点で解錠端として位置決め制止するので、保持部４０に対する施錠具５５の回動操作量(解錠角度範囲)および解錠終端点が自ずと決定される。ちなみに全ての施錠具５５は、同一方向へ回動操作される。
【００５１】
(施錠具のセット)
次に、実施例２に係る固定装置の作用について説明する。セット保持枠１２における保持具７０が配設される側壁面１２ｂと対向する上下の各偶各部に形成した斜状壁部２７に夫々固定装置Ｈが配設されており、夫々の固定装置Ｈでは、遊技盤Ｄの設置に先立ち、前述した如く、保持部４０に施錠具５５を定置セットしておく。
【００５２】
(遊技盤のセット)
実施例１で説明したように、遊技盤Ｄは、前記ガラス扉を備えた前枠および上の球受け皿Ｅを共に全開したもとで、各保持具７０における規制部材７２に一方の側端部を保持させ、セット口１３内にセットする。これにより遊技盤Ｄは位置決めされると共に、夫々の係合受部３２の係止座口３５と保持部４０の保持片４３とが当接係合し、これにより起立状態で収容保持される。
【００５３】
次に、各固定装置Ｈの施錠具５５を、操作部５９に指先を掛けたもとで、時計方向(図１１において)へ回動操作する。これにより各施錠具５５では、前述した図１１の解錠位置から図１２に示す施錠位置に反転され、該施錠具５５の係合部６０が遊技盤Ｄの係合受部３２における係合保持部材３７の前面側に変移する過程で、係合突起６２は、案内斜面３８上を移動した後、最終的に係合凹部３９に突入係合する。そして、係合突起６２が係合凹部３９に係合すると、施錠具５５は回動が制止されて施錠位置に保持される。
【００５４】
なお各固定装置Ｈにおいては、施錠具５５の施錠操作にあたり、係合部６０の係合突起６２が案内斜面３８上を移行する間、適度に弾性変形するようになっている。そして係合突起６２が、案内斜面３８との係合が解除されて係合凹部３９に突入した時点で施錠端として位置決め制止するので、保持部４０に対する施錠具５５の施錠回動操作量および解錠終端点が自ずと決定される。
【００５５】
そして、全ての固定装置Ｈにおける施錠具５５が、回動操作により施錠位置に保持されると、遊技盤Ｄはセット保持枠１２のセット口１３内に適正姿勢で固定保持される。殊に、各施錠具５５では、保持部４０の保持片４３と遊技盤Ｄの係止座口３５とが整合当接した前提で、遊技盤Ｄの係合保持部材３７に対して係合部６０が適宜の弾性変形を伴って当接係合するようになり、遊技盤Ｄに対して適度の緊締力を作用させることになる。このため遊技盤Ｄは、常時この緊締力を受けて強固に保持され、振動や衝撃等に対して常に安定した状態で固定化保持される。
【００５６】
(遊技盤の取外し)
遊技盤Ｄの取外しに際しては、各固定装置Ｈにおいて、施錠具５５の操作部５９に指先を掛け、図１２において反時計方向へ回動操作することにより、当該の施錠具５５が図１１に示す解錠位置に反転保持されて、対応する遊技盤Ｄの係合受部３２を解放する。そして、全ての固定装置Ｈにおける施錠具５５が解錠位置に保持されることで、遊技盤Ｄはその全体が解錠された状態とされ、前面側に引き出すことで、各保持具７０の規制部材７２が回動し、セット口１３から起立状態のまま取出すことができ、枠体１０の窓枠口１１を介してパチンコ機Ｐの前面側に取外すことができる。
【００５７】
このように実施例２に係る遊技盤用の固定装置Ｈでは、中枠Ｂの前面側における簡単な手順操作により、遊技盤Ｄを手早く容易に着脱することができる。そして、遊技盤Ｄの着脱にあたり、各固定装置Ｈにおける施錠具５５では、操作部５９に対して指先を掛けて回動操作をなすことが可能であり、特別な回動操作器具(工具)を一切使用せずに遊技盤Ｄの施錠および解錠を行なうことができるから、遊技盤Ｄの着脱作業が極めて簡単で迅速になし得る。
【００５８】
なお、実施例２の固定装置Ｈでは、施錠具５５の係止部５８に形成した操作孔６１に対応の回動操作器具(図示せず)を係合して、該回動操作器具で施錠具５５を回動操作することで遊技盤Ｄの施錠または解錠を行なうことも可能である。
【００５９】
また、固定装置Ｈが実施可能なパチンコ遊技機は、前記実施例１に示した形態のパチンコ機、即ちセット保持枠１２が中枠Ｂに一体成形されたパチンコ機に限定されるものではなく、セット保持枠１２が中枠Ｂとは別体に合成樹脂成形されて、該中枠Ｂに後付けされる形式のものであっても好適に実施し得る。また、施錠具５５に関しても、前記実施例２に例示した形状のものに限定されるものではない。
【００６０】
なお、実施例１または実施例２では、前記遊技盤Ｄを前記中枠前面の窓構成部材(中枠)を開放したもとで前面側から着脱するよう構成したタイプ(遊技盤前側着脱タイプ)について説明したが、外枠から開放された中枠裏側の裏機構盤を開放または取外したもとで裏面側から着脱するよう構成したタイプであっても、本発明の構成を採用可能である。
【図面の簡単な説明】
【００６１】
【図１】本発明の好適な実施例１および実施例２に係るパチンコ機を示す正面図である。
【図２】実施例１および実施例２に係るパチンコ機を示す横断面図である。
【図３】実施例１に係る遊技盤の保持具を示す概略斜視図である。
【図４】実施例１に係る遊技盤の保持具を示す平面図である。
【図５】実施例２の固定装置を構成する保持部および施錠具を前側から見た斜視図である。
【図６】実施例２の固定装置を構成する保持部および施錠具を後側から見た斜視図である。
【図７】遊技盤の係合受部を前側から見た斜視図である。
【図８】施錠具を一部破断して示す背面図である。
【図９】保持部に対する施錠具の組付態様を例示する正面図であって、施錠具を保持部に組付ける前の状態を示している。
【図１０】保持部に対する施錠具の組付態様を例示する平断面図であって、施錠具を保持部に仮嵌めセットした状態を示している。
【図１１】保持部に対する施錠具の組付態様を例示する正面図であって、保持部にセットした施錠具を解錠位置に保持した状態を示している。
【図１２】施錠具による遊技盤の施錠保持状態を示す正面図である。
【図１３】施錠具による遊技盤の施錠保持状態を示す平断面図である。
【符号の説明】
【００６２】
１２  セット保持枠
１２ａ  フランジ面
１２ｂ  側壁面(壁面)
１２ｃ  突部
１３  セット口
３１  遊技領域
３２  係合受部
４０  保持部
４１  係着部
４２  軸孔口部
５５  施錠具
５６  軸部
５７  回動支盤
５８  係止部
５９  操作部
６０  係合部
７０  保持具
７２  規制部材
７４  枢支部材
７６  第１規制面
７８  第２規制面
７８ａ  端縁
８０  付勢手段
Ｄ  遊技盤
Ｄ１  陥凹部
Ｈ  固定装置
【図１】
2005052499.tif 000003
【図２】
2005052499.tif 000004
【図３】
2005052499.tif 000005
【図４】
2005052499.tif 000006
【図５】
2005052499.tif 000007
【図６】
2005052499.tif 000008
【図７】
2005052499.tif 000009
【図８】
2005052499.tif 000010
【図９】
2005052499.tif 000011
【図１０】
2005052499.tif 000012
【図１１】
2005052499.tif 000013
【図１２】
2005052499.tif 000014
【図１３】
2005052499.tif 000015